(57)【要約】【課題】フェンスの取付強度を向上できるフェンス取付構造および固定金具を提供すること。【解決手段】固定金具１２は、支柱２に固定される固定片部１３と、固定片部１３の下縁から見込み方向に延出した見込み片部１４と、見込み片部１４から上下に延出した見付け片部１５とを有し、固定片部１３に沿って見込み片部１４よりも下方に延出した被係合片部１６が形成される。見込み片部１４の下側には下段フェンスの上胴縁７Ａが配置され、見込み片部１４の上側には上段フェンスの下胴縁６Ｂが配置される。支柱２には、被係合片部１６との係合状態でフェンスに対する見込み荷重を受ける押え金具１１が固定される。【選択図】図２
2020133273.tif 000002
【特許請求の範囲】
【請求項１】
支柱に沿って配置された下段フェンスおよび上段フェンスを備えるフェンスの前記下段フェンスの上縁部および前記上段フェンスの下縁部を前記支柱に取り付けるフェンス取付構造であって、
上下方向に沿った固定片部と、前記固定片部の下縁から見込み方向に延出した見込み片部と、前記見込み片部から上下に延出した見付け片部とを有した固定金具の前記固定片部が前記支柱に固定され、
前記見込み片部の下側には前記下段フェンスの上縁部が配置され、
前記見込み片部の上側には前記上段フェンスの下縁部が配置され、
前記固定金具には、前記固定片部に沿って前記見込み片部よりも下方に延出した被係合片部が形成され、
前記支柱側には、前記被係合片部との係合状態で前記フェンスに対する見込み荷重を受ける係合部が構成されている
ことを特徴とするフェンス取付構造。
【請求項２】
請求項１に記載のフェンス取付構造において、
前記係合部は、前記支柱に固定された押え金具によって構成され、
前記押え金具は、前記支柱に固定される固定部と、前記固定部から上方に延出した押え片部とを有し、
前記押え片部は、前記支柱に対して間隔を隔てて配置され、
前記被係合片部は、前記支柱および前記押え片部の間に差し込まれている
ことを特徴とするフェンス取付構造。
【請求項３】
請求項１に記載のフェンス取付構造において、
前記被係合片部には、その下縁で開口したスリットが上下方向に沿って形成され、
前記係合部は、前記支柱に固定された軸部および前記支柱に対して間隔を隔てて配置された頭部を有した固定具によって構成され、
前記被係合片部は、前記支柱および前記頭部の間で前記軸部に係合されている
ことを特徴とするフェンス取付構造。
【請求項４】
請求項１に記載のフェンス取付構造において、
前記被係合片部には、前記見込み片部よりも左右に張り出した側部が形成され、
前記係合部は、上下方向に沿って前記支柱に形成した係合溝部によって構成され、
前記側部が前記係合溝部に係合されている
ことを特徴とするフェンス取付構造。
【請求項５】
請求項１から請求項４のいずれか一項に記載のフェンス取付構造に用いられる固定金具であって、
前記固定金具は、上下方向に沿った固定片部と、前記固定片部の下縁から見込み方向に延出した見込み片部と、前記見込み片部から上下に延出した見付け片部とを有し、
前記固定金具には、前記支柱側に構成された前記係合部に係合可能な被係合片部が、前記固定片部に沿って前記見込み片部よりも下方に延出して形成されている
ことを特徴とする固定金具。
【発明の詳細な説明】
【技術分野】
【０００１】
本発明は、支柱に沿って配置された下段フェンスおよび上段フェンスを備えるフェンスにおいて、下段フェンスの上縁部および上段フェンスの下縁部を支柱に取り付けるフェンス取付構造および固定金具に関する。
【背景技術】
【０００２】
従来、上下に配置される垣根本体（フェンス）の支柱に対する取付構造が知られている（特許文献１参照）。この取付構造では、垣根本体が上下に積み重なる位置において、支柱にねじ受けを設け、下側の垣根本体の上縁部および上側の垣根本体の下縁部を受けるブラケット（固定金具）をねじ受けに固定している。
ブラケットは、下側の垣根本体の上縁部および上側の垣根本体の下縁部の間に配置される受け板と、受け板の正面側端部に形成された垂下係止片および起立係止片と、受け板の背面側端部から起立して形成された取付片とによって構成されており、起立した取付片がネジによってねじ受けに固定されている。
【先行技術文献】
【特許文献】
【０００３】
【特許文献１】特開２００４−３００７８５号公報
【発明の概要】
【発明が解決しようとする課題】
【０００４】
ところで、特許文献１に記載の取付構造では、ブラケットの受け板を下側の垣根本体の上縁部に載せてから支柱側のねじ受けに固定することとなるので、ブラケットを支柱に対して下側の垣根本体側からネジ等によって固定することができない。このため、取付片は、受け板から垂下されずに起立して形成されており、受け板を下側の垣根本体の上縁部に載せてから上側の垣根本体を受け板上に配置する前に、取付板を支柱側にネジ止めしている。
しかし、このような取付構造では、受け板に対して上側にある取付片だけが支柱側に固定されるが下側では固定されないので、下側の垣根本体が風等によって支柱側からの見込み荷重を受けた場合にブラケットにモーメントが生じ、支柱から離れるように変形するおそれがある。
【０００５】
本発明は、フェンスの取付強度を向上できるフェンス取付構造および固定金具を提供することを目的とする。
【課題を解決するための手段】
【０００６】
本発明のフェンス取付構造は、支柱に沿って配置された下段フェンスおよび上段フェンスを備えるフェンスの前記下段フェンスの上縁部および前記上段フェンスの下縁部を前記支柱に取り付けるフェンス取付構造であって、上下方向に沿った固定片部と、前記固定片部の下縁から見込み方向に延出した見込み片部と、前記見込み片部から上下に延出した見付け片部とを有した固定金具の前記固定片部が前記支柱に固定され、前記見込み片部の下側には前記下段フェンスの上縁部が配置され、前記見込み片部の上側には前記上段フェンスの下縁部が配置され、前記固定金具には、前記固定片部に沿って前記見込み片部よりも下方に延出した被係合片部が形成され、前記支柱側には、前記被係合片部との係合状態で前記フェンスに対する見込み荷重を受ける係合部が構成されていることを特徴とする。
本発明の固定金具は、前述した本発明のフェンス取付構造に用いられる固定金具であって、前記固定金具は、上下方向に沿った固定片部と、前記固定片部の下縁から見込み方向に延出した見込み片部と、前記見込み片部から上下に延出した見付け片部とを有し、前記固定金具には、前記支柱側に構成された前記係合部に係合可能な被係合片部が、前記固定片部に沿って前記見込み片部よりも下方に延出して形成されていることを特徴とする。
【発明の効果】
【０００７】
本発明によれば、フェンスの取付強度を向上できるフェンス取付構造および固定金具を提供することができる。
【図面の簡単な説明】
【０００８】
【図１】本発明のフェンス取付構造を示す外観姿図。
【図２】前記フェンス取付構造を示す縦断面図。
【図３】前記フェンス取付構造の固定金具および支柱を示す横断面図。
【図４】前記フェンス取付構造の固定金具および押え金具を示す斜視図。
【図５】前記フェンス取付構造による固定手順を示す説明図。
【図６】本発明の第１変形例に係る固定金具を示す斜視図。
【図７】本発明の第２変形例に係る固定金具および支柱を示す斜視図。
【図８】前記第２変形例に係る固定金具および支柱を示す横断面図。
【発明を実施するための形態】
【０００９】
［本実施形態の構成］
以下、本発明の実施形態を図面に基づいて説明する。
図１は、地面に立設された複数の支柱２に沿って下段フェンス３Ａを設置し、下段フェンス３Ａの上に上段フェンス３Ｂを設置してなるフェンス１（多段フェンス）を示している。下段フェンス３Ａおよび上段フェンス３Ｂは、パネル状のフェンス本体５Ａ，５Ｂと、フェンス本体５Ａ，５Ｂの下縁に取り付けられた下胴縁６Ａ，６Ｂと、フェンス本体５Ａ，５Ｂの上縁に取り付けられた上胴縁７Ａ，７Ｂとを備えており、下段フェンス３Ａの下胴縁６Ａは下固定金具８によって支柱２に取り付けられ、上段フェンス３Ｂの上胴縁７Ｂは上固定金具９によって支柱２に取り付けられている。
本実施形態に係るフェンス取付構造１０は、下段フェンス３Ａの上縁部を構成する上胴縁７Ａおよび上段フェンス３Ｂの下縁部を構成する下胴縁６Ｂを支柱２に取り付けるための構造である。
以下の説明において、フェンス１の左右方向をＸ軸方向とし、フェンス１の上下方向をＹ軸方向とし、フェンス１の見込み方向をＺ軸方向とする。Ｘ，Ｙ，Ｚ軸方向は互いに直交する。また、本実施形態では、支柱２は家側に配置され、下段フェンス３Ａおよび上段フェンス３Ｂは道側に配置される。
【００１０】
支柱２は、図２および図３に示すように、前面部２１、後面部２２および左右の側面部２３，２４を有して断面略矩形状に形成されており、内部が中空となっている。前面部２１には、Ｚ軸方向に沿った一対の側片２６，２７および底片２８によってＹ軸方向に延びた凹溝部２５が形成されている。
下胴縁６Ａ，６Ｂは互いに同様に形成され、上胴縁７Ａ，７Ｂも互いに同様に形成されているので、主に図２を参照して下胴縁６Ｂおよび上胴縁７Ａの構成について詳細に説明し、下胴縁６Ａおよび上胴縁７Ｂの構成については詳細な説明を省略し、下胴縁６Ｂおよび上胴縁７Ａの構成と同符号を適宜付す。
下胴縁６Ｂは、図２に示すように、上片部６１、下片部６２および一対の側片部６３，６４を有して中空枠状に形成されており、側片部６３は側片部６４に対してＺ軸方向において前方側（道側）に位置しており、側片部６４は側片部６３に対して後方側（家側）に位置している。上片部６１には、フェンス本体５Ｂに取り付けられる取付片部６１１が上方に延出して形成されている。下片部６２には、一対の立上げ片６６，６７および底片６８によってＸ軸方向に延びた凹溝部６５が形成されている。
上胴縁７Ａは、図２に示すように、上片部７１、下片部７２および一対の側片部７３，７４を有して中空枠状に形成されており、側片部７３は側片部７４に対してＺ軸方向において前方側に位置しており、側片部７４は側片部７３に対して後方側に位置している。上片部７１は、上方に向かって凸曲面状に湾曲して形成されている。下片部７２には、フェンス本体５Ａに取り付けられる取付片部７２１が下方に延出して形成されている。
【００１１】
フェンス取付構造１０は図２に示す構成とされており、支柱２には、係合部としての押え金具１１と、この押え金具１１に係合された固定金具１２とがネジ４によってそれぞれ固定されている。
押え金具１１は、図２および図４に示すように、矩形板状の固定部１１１と、固定部１１１から上方に延出した押え片部１１５とを有している。固定部１１１にはネジ４が挿通される固定孔１１３が形成されている。押え片部１１５は、固定部１１１に対して道側寄りの位置に形成されており、図２に示すように固定部１１１を支柱２の底片２８にネジ止めした状態で底片２８に対してＺ軸方向の間隔を隔てて配置される。固定部１１１の上面１１１Ａ、押え片部１１５の支柱２に対する対向面１１５Ａおよび底片２８の見付け面によって差込溝１１７が形成されており、この差込溝１１７に固定金具１２の後述する被係合片部１６が上方から差し込まれる。なお、押え片部１１５の上縁には、差込溝１１７を溝底側から開口側に向かって先広がり形状とするテーパー面１１６が形成されており、テーパー面１１６を形成することによって被係合片部１６を後述する差込溝１１７に容易に差し込める構成としている。
固定金具１２は、図２から図４に示すように、Ｙ軸方向に沿った略矩形板状の固定片部１３と、固定片部１３の下縁からＺ軸方向に延出した見込み片部１４と、見込み片部１４から上下に延出した上受け部１５１および下受け部１５２を有する見付け片部１５とを有しており、固定片部１３に沿って見込み片部１４よりも下方に延出した被係合片部１６が形成されている。
固定片部１３には、ネジ４が挿通される固定孔１３１が形成されている。固定片部１３のＸ軸方向における幅寸法は、支柱２の底片２８のＸ軸方向における幅寸法と同じ寸法とされている。
見込み片部１４の上面１４Ａは平坦面によって形成されており、上面１４Ａには上方に立ち上げられた立上げ片部１４１が形成されている。立上げ片部１４１は、見込み片部１４の上側に配置される下胴縁６Ｂの凹溝部６５に配置されることで下胴縁６Ｂの見込み位置を位置決めしている。見込み片部１４の下面１４Ｂは、下方に向かって凹曲面状に湾曲して形成されており、このように凹曲面状に形成されることで、見込み片部１４の下側に配置される上胴縁７Ａの凸曲面状の上片部７１にぴったり合わさる構成とされている。
見付け片部１５は、見込み片部１４の道側の前縁から上下に延出している。上受け部１５１のＹ軸方向における寸法は、固定片部１３のＹ軸方向における寸法よりも短い寸法とされており、上受け部１５１の上縁は固定片部１３の固定孔１３１よりも低い位置にある。このため、固定片部１３の固定孔１３１の前方からネジ４を簡単に挿通させて支柱２にねじ込むことができる。上受け部１５１の上縁には、下方から上方に向かうに連れて道側に傾くようにＹ軸方向に対して傾斜したテーパー面１５３が形成されており、テーパー面１５３を形成することで、上段フェンス３Ｂの下胴縁６Ｂを見込み片部１４の上側に配置しやすい構成となっている。
被係合片部１６のＹ軸方向における寸法は、下受け部１５２のＹ軸方向における寸法よりも短い寸法とされている。また、被係合片部１６のＺ軸方向における厚さ寸法は、前述した差込溝１１７のＺ軸方向における寸法と同じ寸法とされており、このため、被係合片部１６を差込溝１１７に差し込むことでＺ軸方向のガタつきなく固定金具１２を押え金具１１に係合させられる。
【００１２】
次に、本実施形態に係るフェンス取付構造１０が構成されるフェンス１の組立手順を説明する。
まず、図５（Ａ）に示すように、支柱２の前面部２１に下固定金具８を固定し、押え金具１１の固定部１１１をネジ４によって支柱２の凹溝部２５を形成する底片２８にネジ止めする。
次に、図５（Ｂ）に示すように、下胴縁６Ａを下固定金具８に載せつつ下段フェンス３Ａを支柱２の前面部２１に沿って配置し、続いて、固定金具１２の被係合片部１６を押え金具１１の押え片部１１５と支柱２の底片２８との間に形成された差込溝１１７に上方から差し込みことで係合させ、図５（Ｃ）に示すように固定金具１２を仮固定した状態とする。この仮固定状態では、下段フェンス３Ａを手で支えていなくても自立した状態となる。続いて、固定片部１３をネジ４によって支柱２の底片２８にネジ止めすることで、固定金具１２を支柱２に本固定し、このようにして下段フェンス３Ａを支柱２に取り付ける。なお、本実施形態では、固定金具１２の下受け部１５２の被係合片部１６側の面には、弾性シート１５４（図５（Ｂ）参照）が貼り付けられており、図５（Ｃ）に示す状態で、弾性シート１５４は上胴縁７Ａの側片部７３に密着している。またこのとき、固定金具１２の見込み片部１４の下面１４Ｂは上胴縁７Ａの上片部７１に当接しており、上胴縁７Ａの側片部７４は支柱２の前面部２１に当接している。これにより、下段フェンス３Ａの上胴縁７Ａは固定金具１２によって支柱２に取り付けられた取付状態となる。
次に、図５（Ｄ）に示すように、上段フェンス３Ｂの下胴縁６Ｂを固定金具１２の上受け部１５１および支柱２の前面部２１の間に入れ込んで見込み片部１４の上面１４Ａに載せる。続いて、上固定金具９を上胴縁７Ｂに掛けながら支柱２に固定し、このようにして、上段フェンス３Ｂを支柱２に取り付ける。このとき、上段フェンス３Ｂの下胴縁６Ｂは固定金具１２によって支柱２に取り付けられた取付状態となる。
【００１３】
前述したように組み立てられたフェンス１では、風などによって家側（支柱２側）から道側に向かう見込み荷重が下段フェンス３Ａに加えられると、下受け部１５２が上胴縁７Ａからの見込み荷重を受ける。このとき、固定金具１２には被係合片部１６が支柱２から道側に離れるように変形させる力が加わるが、被係合片部１６が押え片部１１５によって道側から押さえられているので、固定金具１２に変形が生じることなく下段フェンス３Ａは適切に保持される。
また、風などによって道側から家側に向かう見込み荷重が下段フェンス３Ａや上段フェンス３Ｂに加えられると、上胴縁７Ａおよび下胴縁６Ｂの見込み荷重を受ける固定金具１２は支柱２によって支えられる。
【００１４】
[変形例]
前記実施形態では、固定金具１２の被係合片部１６を押え金具１１に係合させるフェンス取付構造１０を説明したが、これに限らず、例えば図６に示す第１変形例のように、支柱２に固定された固定具である段付きビス１７によって、被係合片部１６が係合される支柱２側の係合部が構成されていてもよい。段付きビス１７は、支柱２の底片２８（図２等参照）に螺合固定される軸部１７１と、軸部１７１の道側の端部に形成された頭部１７２とを有しており、頭部１７２は底片２８にＺ軸方向に間隔を隔てて配置される。被係合片部１６には、その下縁で開口したスリット１６１が上下方向に沿って形成されており、スリット１６１に軸部１７１が挿入されて被係合片部１６が頭部１７２に係合されることで、フェンス１に加えられる見込み荷重を固定金具１２が受けられる構成とされる。
また、前述した固定金具１２は、その被係合片部１６が押え金具１１や段付きビス１７に係合される構成とされているが、これに限らず、例えば図７および図８に示す第２変形例のように、見込み片部１４よりも左右に張り出した側部１８を固定片部１３および被係合片部１６に形成してもよく、この場合、側片２６，２７から互いに接近する方向に延出した延出部２９を形成することで、支柱２の凹溝部２５の左右両側に上下方向に沿った係合溝部３０を被係合片部１６に対する係合として構成し、固定金具１２の側部１８を支柱２の端部から係合溝部３０に挿入することで、固定片部１３および被係合片部１６が係合溝部３０に係合されるようにしてもよい。また、このように構成した場合、延出部２９に切欠部２９１を形成し、この切欠部２９１から固定片部１３および被係合片部１６を係合溝部３０に挿入できる構成としてもよい。なお、側部１８は固定片部１３に形成せず被係合片部１６だけに形成してもよい。
前記実施形態では、支柱２が家側に配置され、下段フェンス３Ａおよび上段フェンス３Ｂが道側に配置されているが、これとは逆に、支柱２が道側に配置され、下段フェンス３Ａおよび上段フェンス３Ｂが家側に配置されてもよい。この場合、固定金具１２および各係合部も見込み方向において逆向きに配置される。
前記実施形態では、フェンス本体５Ａ，５Ｂはパネル状に形成されることとしたが、これに限らず、種々の形態で形成されていてもよく、例えば格子状に形成されていてもよく、また、複数のルーバーが連なって形成されていてもよい。
前記実施形態では、下段フェンス３Ａおよび上段フェンス３Ｂを備えた上下二段のフェンス１を説明したが、三段以上ある多段のフェンスであってもよい。
【００１５】
[本発明のまとめ]
本発明のフェンス取付構造は、支柱に沿って配置された下段フェンスおよび上段フェンスを備えるフェンスの前記下段フェンスの上縁部および前記上段フェンスの下縁部を前記支柱に取り付けるフェンス取付構造であって、上下方向に沿った固定片部と、前記固定片部の下縁から見込み方向に延出した見込み片部と、前記見込み片部から上下に延出した見付け片部とを有した固定金具の前記固定片部が前記支柱に固定され、前記見込み片部の下側には前記下段フェンスの上縁部が配置され、前記見込み片部の上側には前記上段フェンスの下縁部が配置され、前記固定金具には、前記固定片部に沿って前記見込み片部よりも下方に延出した被係合片部が形成され、前記支柱側には、前記被係合片部との係合状態で前記フェンスに対する見込み荷重を受ける係合部が構成されていることを特徴とする。
本発明のフェンス取付構造によれば、固定金具に形成した前述した被係合片部を支柱側に構成された係合部に係合させることで、固定金具を見込み片部に対して上側の固定片部と下側の被係合片部の双方を支柱に固定した状態にでき、例えば被係合片部がなく、見込み片部に対して上側の固定片部だけを支柱に固定した固定金具と比べて、支柱に対する固定強度を高めることができ、これにより、下段フェンスの上縁部および上段フェンスの下縁部の支柱に対する取付強度を向上できる。また、風などによってフェンスが支柱側からの見込み荷重を受けた場合に、固定金具にモーメントが生じて支柱から離れるように変形することを抑制できる。
また、フェンスを施工する場合においては、固定片部を支柱に固定する前段階であっても、固定金具の被係合片部を支柱側の係合部に係合させることで、見込み片部の下側に配置された下段フェンスの上縁部を仮固定できる。このため、下段フェンスが倒れないように支えておく必要がなくなり、施工性を向上できる。
【００１６】
本発明のフェンス取付構造では、前記係合部は、前記支柱に固定された押え金具によって構成され、前記押え金具は、前記支柱に固定される固定部と、前記固定部から上方に延出した押え片部とを有し、前記押え片部は、前記支柱に対して間隔を隔てて配置され、
前記被係合片部は、前記支柱および前記押え片部の間に差し込まれていてもよい。
このような構成によれば、下段フェンスを支柱に沿って配置する前に押え金具の固定部を支柱に固定しておくことで、下段フェンスの配置後に固定金具の被係合片部を支柱および押え片部の間に差し込んで係合させることができる。
また、固定金具の被係合片部だけでなく押え金具によっても見込み荷重を受けることができるので、下段フェンスの上縁部および上段フェンスの下縁部の取付強度を更に向上できる。
【００１７】
本発明のフェンス取付構造では、前記被係合片部には、その下縁で開口したスリットが上下方向に沿って形成され、前記係合部は、前記支柱に固定された軸部および前記支柱に対して間隔を隔てて配置された頭部を有した固定具によって構成され、前記被係合片部は、前記支柱および前記頭部の間で前記軸部に係合されていてもよい。
このような構成によれば、固定金具の被係合片部を固定具に係合させることで、被係合片部を支柱に固定できる。前述したように下段フェンスの上縁部および上段フェンスの下縁部の取付強度を向上できる。
【００１８】
本発明のフェンス取付構造では、前記被係合片部には、前記見込み片部よりも左右に張り出した側部が形成され、前記係合部は、上下方向に沿って前記支柱に形成した係合溝部によって構成され、前記側部が前記係合溝部に係合されていてもよい。
このような構成によれば、固定金具の被係合片部を支柱に固定するために前述した押え金具や固定具などが必要ないので、部品点数を減らすことができ且つ施工工数を削減できる。
【００１９】
本発明の固定金具は、前述した本発明のフェンス取付構造に用いられる固定金具であって、前記固定金具は、上下方向に沿った固定片部と、前記固定片部の下縁から見込み方向に延出した見込み片部と、前記見込み片部から上下に延出した見付け片部とを有し、前記固定金具には、前記支柱側に構成された前記係合部に係合可能な被係合片部が、前記固定片部に沿って前記見込み片部よりも下方に延出して形成されていることを特徴とする。
本発明の固定金具によれば、前述した本発明のフェンス取付構造の作用効果を発揮可能な固定金具を構成できる。
【符号の説明】
【００２０】
１…フェンス、１０…フェンス取付構造、１１…押え金具、１１１…固定部、１１５…押え片部、１１７…差込溝、１２…固定金具、１３…固定片部、１４…見込み片部、１５…見付け片部、１６…被係合片部、１６１…スリット、１７…段付きビス、１７１…軸部、１７２…頭部、１８…側部、２…支柱、３０…係合溝部、３Ａ…下段フェンス、３Ｂ…上段フェンス、４…ネジ、５Ａ，５Ｂ…フェンス本体、６Ａ，６Ｂ…下胴縁、７Ａ，７Ｂ…上胴縁、８…下固定金具、９…上固定金具。
【図１】
2020133273.tif 000003
【図２】
2020133273.tif 000004
【図３】
2020133273.tif 000005
【図４】
2020133273.tif 000006
【図５】
2020133273.tif 000007
【図６】
2020133273.tif 000008
【図７】
2020133273.tif 000009
【図８】
2020133273.tif 000010